【手続補正書】
【提出日】平成27年6月26日(2015.6.26)
【手続補正１】
【補正対象書類名】特許請求の範囲
【補正対象項目名】全文
【補正方法】変更
【補正の内容】
【特許請求の範囲】
【請求項１】
極低温冷凍システムの熱交換器アレイを暖める方法であって、
前記熱交換器アレイの少なくとも一部を暖めるために、前記冷凍システムにおける冷媒流の少なくとも一部を、前記冷凍システムの極低温冷却動作の間に使用される冷媒流回路から迂回させることと、
冷媒流の前記少なくとも一部を迂回させる間、前記冷凍システムのコンプッサーを通る冷媒質量流が過剰になるのを防ぐこととを含み、
冷媒質量流が過剰になるのを前記防ぐことが、
（ａ）前記冷凍システムの膨張タンクおよび緩衝タンクの少なくとも一方に冷媒を蓄積できるようにする緩衝バルブを作動させること、
（ｂ）前記コンプレッサーに変速駆動装置を適用すること、
（ｃ）前記コンプレッサーの少なくとも一つのシリンダーへの質量流を遮断し、前記コンプレッサーが往復運動型のコンプレッサーであること、
（ｄ）前記コンプレッサーの少なくとも二つのスクロールを互いから分離し、前記コンプレッサーがスクロール型のコンプレッサーであること、および
（ｅ）質量流を低減することまたは前記冷凍システムの複数のコンプレッサーの少なくとも一つの動作を削減することのいずれか一つを含む方法。
【請求項２】
前記冷媒流の少なくとも一部を前記迂回させることが、冷媒流の少なくとも一部を前記コンプレッサーから前記熱交換器アレイにおけるポイントへ迂回させることを含む請求項１に記載の方法。
【請求項３】
前記熱交換器アレイにおける前記ポイントが、前記熱交換器アレイにおける最も冷たい熱交換器の低圧入口、および前記熱交換器アレイにおける二番目に冷たい熱交換器の低圧入口のいずれか一方を含む請求項２に記載の方法。
【請求項４】
冷媒質量流が過剰になるのを前記防ぐことが、前記冷凍システムの前記膨張タンクおよび前記緩衝タンクの少なくとも一方に冷媒を蓄積できるようにする前記緩衝バルブを作動させることを含み、
前記緩衝バルブを連続して作動させること、前記緩衝バルブをパルス状に作動させること、および最小の吸込圧に達した後に前記緩衝バルブを作動させることの少なくとも一つを含む請求項１に記載の方法。
【請求項５】
前記冷媒流の少なくとも一部を前記迂回させることが、
（ａ）冷媒流の少なくとも一部を、前記冷凍システムのコンデンサーの出口から、前記熱交換器アレイにおけるポイントへ迂回させること、
（ｂ）冷媒流の少なくとも一部を、前記熱交換器アレイにおける少なくとも一つの熱交換器の高圧側から、前記熱交換器アレイにおける別のポイントへ迂回させること、
（ｃ）前記熱交換器アレイの前記少なくとも一部を暖める間に、暖め冷媒の量を変えること、および
（ｄ）冷媒流を、前記熱交換器アレイにおける二つ以上の位置へ迂回させることのいずれか一つを含む請求項１に記載の方法。
【請求項６】
迂回させられる前記冷媒流の前記少なくとも一部が、前記冷凍システムの極低温動作における最も冷たい熱交換器の温度よりも実質的に暖かい温度の冷媒を含む請求項１に記載の方法。
【請求項７】
前記迂回させることにより、前記熱交換器アレイのすべてを暖める請求項１に記載の方法。
【請求項８】
前記熱交換器アレイの前記少なくとも一部を、前記極低温範囲内の温度から、少なくとも約５℃、少なくとも約１０℃、少なくとも約１５℃、少なくとも約２０℃、少なくとも約２５℃、少なくとも約３０℃、および少なくとも約３５℃からなるグループ内の温度に暖めることを含む請求項１に記載の方法。
【請求項９】
前記冷媒流の少なくとも一部を前記迂回させることが、冷媒流の少なくとも一部を、前記冷凍システムにおける連続して用いられる少なくとも二つの暖め冷媒源から迂回させることを含み、前記少なくとも二つの暖め冷媒源が、（ｉ）温度が互いに異なっているか、（ｉｉ）冷媒組成が互いに異なっているか、の少なくとも一方である請求項１に記載の方法。
【請求項１０】
前記冷媒流の少なくとも一部を前記迂回させることが、冷媒流の少なくとも一部を、前記冷凍システムにおける交互に連続して用いられる前記少なくとも二つの暖め冷媒源から迂回させることを含む請求項９に記載の方法。
【請求項１１】
前記冷媒流の少なくとも一部を前記迂回させることが、冷媒流の少なくとも一部を、前記冷凍システムにおける少なくとも二つの暖め冷媒源から迂回させることを含み、前記少なくとも二つの暖め冷媒源が、（ｉ）温度が互いに異なっているか、（ｉｉ）冷媒組成が互いに異なっているか、の少なくとも一方であり、
前記冷媒流の少なくとも一部を前記迂回させることが、前記少なくとも二つの暖め冷媒源から迂回させられた流れを混合して、前記熱交換器アレイの前記少なくとも一部を暖めることを含む請求項１に記載の方法。
【請求項１２】
冷媒流の少なくとも一部を前記迂回させることが、前記冷媒流の少なくとも一部を、前記コンプレッサーの出口から、供給ラインの入口へ迂回させることを含み、冷媒が、前記供給ラインからクライオコイルおよびクライオサーフェイスの少なくとも一方へ流れ、そこから戻りラインを通って前記熱交換器アレイの低圧側に戻る請求項１に記載の方法。
【請求項１３】
前記迂回させることが、前記戻りラインにおいて前記熱交換器アレイの前記低圧側に戻る前記冷媒の温度が前記戻りラインの高温設定点に達した後も、続けられる請求項１２に記載の方法。
【請求項１４】
前記高温設定点が、約−２０℃から約＋４０℃の範囲内の温度を含む請求項１３に記載の方法。
【請求項１５】
冷媒質量流が過剰になるのを前記防ぐことが、前記緩衝バルブを作動させることによって、前記冷媒流の前記少なくとも一部を前記迂回させることの間に、前記冷凍システムの前記膨張タンクおよび前記緩衝タンクの少なくとも一方に冷媒を蓄積できるようにすることを含み、
前記緩衝バルブを前記作動させることが、
前記緩衝バルブを連続して作動させること、
前記緩衝バルブをパルス状に作動させること、
前記戻りラインにおいて前記熱交換器アレイの前記低圧側に戻る前記冷媒の温度が前記戻りラインの高温設定点に達した後に、前記緩衝バルブを作動させること、および
前記冷媒流の少なくとも一部を前記コンプレッサーの出口から供給ラインの入口へ迂回させることの間中、前記緩衝バルブを作動させることのいずれか一つを含む請求項１２に記載の方法。
【請求項１６】
前記供給ラインの入口へ前記迂回させることが、前記戻りラインにおいて前記熱交換器アレイの前記低圧側に戻る前記冷媒の温度が前記戻りラインの高温設定点に達するまで、続けられ、その後、前記迂回させることが、冷媒流の少なくとも一部を前記コンプレッサーから前記熱交換器アレイにおけるポイントへ迂回させることを含む請求項１２に記載の方法。
【請求項１７】
冷媒流の少なくとも一部を前記コンプレッサーから前記熱交換器アレイにおけるポイントへ迂回させるのに先立って、凍結防止回路および温度制御回路の少なくとも一方を用いて前記熱交換器アレイの少なくとも一部を暖めることを含む請求項１に記載の方法。
【請求項１８】
冷媒流の少なくとも一部を前記迂回させることが、前記熱交換器アレイの少なくとも一つの内部絞り弁が生み出す冷却効果を超えるのに十分な冷媒流を迂回させ、それによって前記熱交換器アレイを暖めることを含む請求項１に記載の方法。
【請求項１９】
（ａ）前記熱交換器アレイを暖める少なくとも一部の間、前記熱交換器アレイの少なくとも一つの内部絞り弁を少なくとも部分的に閉じること、
（ｂ）前記熱交換器アレイを暖める少なくとも一部の間、前記冷凍システムのコンデンサーへの流入またはそこからの流出を少なくとも部分的に遮断すること、
（ｃ）前記熱交換器アレイを暖める少なくとも一部の間、前記冷凍システムの膨張タンクへの吸込側接続を閉じること、および
（ｄ）前記迂回させられた冷媒流が向かう、前記熱交換器アレイにおける位置を制御することのいずれか一つを含む請求項１に記載の方法。
【請求項２０】
前記方法が、前記熱交換器アレイを暖めるために前記冷凍システムの外部の機器を使うことのない請求項１に記載の方法。
【請求項２１】
前記熱交換器アレイの前記少なくとも一部を暖めるのを、前記熱交換器アレイにおける少なくとも一つの位置の少なくとも一つのセンサーで設定点の温度に達すると、停止することを含む請求項１に記載の方法。
【請求項２２】
前記熱交換器アレイの一つの熱交換器への吐出入口、前記熱交換器アレイの一つの熱交換器からの吐出出口、前記熱交換器アレイの一つの熱交換器への吸込入口、および前記熱交換器アレイの一つの熱交換器からの吸込出口の少なくとも一つに、少なくとも一つのセンサーが位置する請求項２１に記載の方法。
【請求項２３】
暖めシステムを含む極低温冷凍システムであって、
熱交換器アレイと、
前記冷凍システムにおける冷媒流の少なくとも一部を、前記冷凍システムの極低温冷却動作の間に用いられる冷媒流回路から、前記熱交換器アレイにおける位置へ迂回させて、前記熱交換器アレイの少なくとも一部を暖める分流加減器と、
前記コンプレッサーを通る冷媒質量流が過剰になるのを防ぐデバイスとを含み、
前記分流加減器が、
（ｉ）前記コンプレッサーから前記熱交換器アレイにおけるポイントへの分流加減器、
（ｉｉ）前記冷凍システムのコンデンサーの出口から前記熱交換器アレイにおけるポイントへの分流加減器、および
（ｉｉｉ）前記熱交換器アレイにおける少なくとも一つの熱交換器の高圧側から前記熱交換器アレイにおける別のポイントへの分流加減器の少なくとも一つを含み、
冷媒質量流が過剰になるのを防ぐ前記デバイスが、
（ａ）前記冷凍システムの膨張タンクと緩衝タンクの少なくとも一方に冷媒を蓄積できるようにする緩衝バルブ、
（ｂ）前記コンプレッサーの変速駆動装置、
（ｃ）前記コンプレッサーの少なくとも一つのシリンダーへの質量流を遮断するシリンダーアンローダーであって、前記コンプレッサーが往復運動型のコンプレッサーであるシリンダーアンローダー、
（ｄ）前記コンプレッサーの少なくとも二つのスクロールを互いから分離するデバイスであって、前記コンプレッサーがスクロール型のコンプレッサーであるデバイス、および
（ｅ）質量流を低減するか、または前記冷凍システムの複数のコンプレッサーの少なくとも一つのコンプレッサーの動作を削減するデバイスのいずれか一つを含む冷凍システム。
【請求項２４】
前記熱交換器アレイにおける前記ポイントが、前記熱交換器アレイにおける最も冷たい熱交換器の低圧入口、および前記熱交換器アレイにおける二番目に冷たい熱交換器の低圧入口のいずれか一方を含む請求項２３に記載のシステム。
【請求項２５】
冷媒質量流が過剰になるのを防ぐ前記デバイスが、前記冷凍システムの前記膨張タンクと前記緩衝タンクの少なくとも一方に冷媒を蓄積できるようにする前記緩衝バルブを含み、
前記緩衝バルブが、連続して作動するか、パルス状に作動するか、最小の吸込圧に達した後に作動するか、のいずれかである請求項２３に記載のシステム。
【請求項２６】
前記分流加減器が、前記冷凍システムの極低温動作における最も冷たい熱交換器の温度よりも実質的に暖かい温度の冷媒を迂回させる請求項２３に記載のシステム。
【請求項２７】
前記分流加減器が、前記熱交換器アレイのすべてを暖める請求項２３に記載のシステム。
【請求項２８】
前記分流加減器が、前記熱交換器アレイの前記少なくとも一部を、前記極低温範囲内の温度から、少なくとも約５℃、少なくとも約１０℃、少なくとも約１５℃、少なくとも約２０℃、少なくとも約２５℃、少なくとも約３０℃、および少なくとも約３５℃からなるグループ内の温度に暖める請求項２３に記載のシステム。
【請求項２９】
前記分流加減器が、冷媒流を、前記冷凍システムにおける連続して用いられる少なくとも二つの暖め冷媒源から迂回させ、前記少なくとも二つの暖め冷媒源が、（ｉ）温度が互いに異なっているか、（ｉｉ）冷媒組成が互いに異なっているか、の少なくとも一方である請求項２３に記載のシステム。
【請求項３０】
前記分流加減器が、冷媒流の少なくとも一部を、前記冷凍システムにおける交互に連続して用いられる前記少なくとも二つの暖め冷媒源から迂回させる請求項２９に記載のシステム。
【請求項３１】
前記分流加減器が、冷媒流の少なくとも一部を、前記冷凍システムにおける少なくとも二つの暖め冷媒源から迂回させ、前記少なくとも二つの暖め冷媒源が、（ｉ）温度が互いに異なっているか、（ｉｉ）冷媒組成が互いに異なっているか、の少なくとも一方であり、
前記分流加減器が、前記少なくとも二つの暖め冷媒源から迂回させられた流れを混合して、前記熱交換器アレイの前記少なくとも一部を暖める請求項２３に記載のシステム。
【請求項３２】
前記分流加減器が、（ｉ）前記熱交換器アレイの前記少なくとも一部を暖める間に、様々な量の暖め冷媒を供給するか、（ｉｉ）冷媒流を、前記熱交換器アレイにおける二つ以上の位置へ迂回させるか、のいずれか一方である請求項２３に記載のシステム。
【請求項３３】
前記熱交換器アレイにおいて少なくとも一つの内部絞り弁をさらに含む請求項２３に記載のシステム。
【請求項３４】
前記内部絞り弁の少なくとも一つが、その内部絞り弁を前記分流加減器の動作の間少なくとも部分的に閉じるデバイスを含む請求項３３に記載のシステム。
【請求項３５】
（ｉ）前記分流加減器の動作の間、前記システムのコンデンサーへの流入またはそこからの流出を少なくとも部分的に遮断するデバイス、
（ｉｉ）前記熱交換器アレイを暖める少なくとも一部の間、前記冷凍システムの膨張タンクへの吸込側接続を閉じるデバイス、および
（ｉｉｉ）前記迂回させられた冷媒流が向かう、前記熱交換器アレイにおける位置を制御するバルブのいずれか一つをさらに含む請求項２３に記載のシステム。
【請求項３６】
前記システムが、前記熱交換器アレイを暖めるために前記冷凍システムの外部に機器を含んでいない請求項２３に記載のシステム。
【請求項３７】
前記熱交換器アレイにおける少なくとも一つの位置に少なくとも一つのセンサーを含み、少なくとも一つのセンサーで設定点の温度に達すると、前記分流加減器の動作を停止する制御回路を含む請求項２３に記載のシステム。
【請求項３８】
前記熱交換器アレイの一つの熱交換器への吐出入口、前記熱交換器アレイの一つの熱交換器からの吐出出口、前記熱交換器アレイの一つの熱交換器への吸込入口、および前記熱交換器アレイの一つの熱交換器からの吸込出口の少なくとも一つに、少なくとも一つのセンサーが位置する請求項３７に記載のシステム。
【請求項３９】
前記コンプレッサーの出口から供給ラインの入口まで熱ガス解凍回路をさらに含み、冷媒が、前記供給ラインからクライオコイルおよびクライオサーフェイスの少なくとも一方へ流れ、そこから戻りラインを通って前記熱交換器アレイの低圧側に戻る請求項２３に記載のシステム。
【請求項４０】
凍結防止回路および温度制御回路の少なくとも一方をさらに含む請求項２３に記載のシステム。
【手続補正２】
【補正対象書類名】明細書
【補正対象項目名】０１３６
【補正方法】変更
【補正の内容】
【０１３６】
この発明は、実施形態を例示して、参照することで詳しく示され記述されているが、当業者には、添付した請求の範囲に包含される本発明の範囲を逸脱することなく、形式や詳細に様々な変更を加えてもよいことが理解される。
なお、本発明は、実施の態様として以下の内容を含む。
［態様１］
極低温冷凍システムの熱交換器アレイを暖める方法であって、
前記熱交換器アレイの少なくとも一部を暖めるために、前記冷凍システムにおける冷媒流の少なくとも一部を、前記冷凍システムの極低温冷却動作の間に使用される冷媒流回路から迂回させることと、
冷媒流の前記少なくとも一部を迂回させる間、前記冷凍システムのコンプッサーを通る冷媒質量流が過剰になるのを防ぐこととを含む方法。
［態様２］
前記冷媒流の少なくとも一部を前記迂回させることが、冷媒流の少なくとも一部を前記コンプレッサーから前記熱交換器アレイにおけるポイントへ迂回させることを含む態様１に記載の方法。
［態様３］
前記熱交換器アレイにおける前記ポイントが、前記熱交換器アレイにおける最も冷たい熱交換器の低圧入口を含む態様２に記載の方法。
［態様４］
前記熱交換器アレイにおける前記ポイントが、前記熱交換器アレイにおける二番目に冷たい熱交換器の低圧入口を含む態様２に記載の方法。
［態様５］
冷媒質量流が過剰になるのを前記防ぐことが、前記冷凍システムの膨張タンクおよび緩衝タンクの少なくとも一方に冷媒を蓄積できるようにする緩衝バルブを作動させることを含む態様１に記載の方法。
［態様６］
前記緩衝バルブを連続して作動させることを含む態様５に記載の方法。
［態様７］
前記緩衝バルブをパルス状に作動させることを含む態様５に記載の方法。
［態様８］
最小の吸込圧に達した後に前記緩衝バルブを作動させることを含む態様５に記載の方法。
［態様９］
前記冷媒流の少なくとも一部を前記迂回させることが、冷媒流の少なくとも一部を、前記冷凍システムのコンデンサーの出口から、前記熱交換器アレイにおけるポイントへ迂回させることを含む態様１に記載の方法。
［態様１０］
迂回させられる前記冷媒流の前記少なくとも一部が、前記冷凍システムの極低温動作における最も冷たい熱交換器の温度よりも実質的に暖かい温度の冷媒を含む態様１に記載の方法。
［態様１１］
前記迂回させることにより、前記熱交換器アレイのすべてを暖める態様１に記載の方法。
［態様１２］
前記熱交換器アレイの前記少なくとも一部を、前記極低温範囲内の温度から、少なくとも約５℃、少なくとも約１０℃、少なくとも約１５℃、少なくとも約２０℃、少なくとも約２５℃、少なくとも約３０℃、および少なくとも約３５℃からなるグループ内の温度に暖めることを含む態様１に記載の方法。
［態様１３］
前記冷媒流の少なくとも一部を前記迂回させることが、冷媒流の少なくとも一部を、前記熱交換器アレイにおける少なくとも一つの熱交換器の高圧側から、前記熱交換器アレイにおける別のポイントへ迂回させることを含む態様１に記載の方法。
［態様１４］
前記冷媒流の少なくとも一部を前記迂回させることが、冷媒流の少なくとも一部を、前記冷凍システムにおける連続して用いられる少なくとも二つの暖め冷媒源から迂回させることを含み、前記少なくとも二つの暖め冷媒源が、（ｉ）温度が互いに異なっているか、（ｉｉ）冷媒組成が互いに異なっているか、の少なくとも一方である態様１に記載の方法。
［態様１５］
前記冷媒流の少なくとも一部を前記迂回させることが、冷媒流の少なくとも一部を、前記冷凍システムにおける交互に連続して用いられる前記少なくとも二つの暖め冷媒源から迂回させることを含む態様１４に記載の方法。
［態様１６］
前記冷媒流の少なくとも一部を前記迂回させることが、冷媒流の少なくとも一部を、前記冷凍システムにおける少なくとも二つの暖め冷媒源から迂回させることを含み、前記少なくとも二つの暖め冷媒源が、（ｉ）温度が互いに異なっているか、（ｉｉ）冷媒組成が互いに異なっているか、の少なくとも一方であり、
前記冷媒流の少なくとも一部を前記迂回させることが、前記少なくとも二つの暖め冷媒源から迂回させられた流れを混合して、前記熱交換器アレイの前記少なくとも一部を暖めることを含む態様１に記載の方法。
［態様１７］
前記冷媒流の少なくとも一部を前記迂回させることが、前記熱交換器アレイの前記少なくとも一部を暖める間に、暖め冷媒の量を変えることを含む態様１に記載の方法。
［態様１８］
前記冷媒流の少なくとも一部を前記迂回させることが、冷媒流を、前記熱交換器アレイにおける二つ以上の位置へ迂回させることを含む態様１に記載の方法。
［態様１９］
冷媒流の少なくとも一部を前記迂回させることが、前記冷媒流の少なくとも一部を、前記コンプレッサーの出口から、供給ラインの入口へ迂回させることを含み、冷媒が、前記供給ラインからクライオコイルおよびクライオサーフェイスの少なくとも一方へ流れ、そこから戻りラインを通って前記熱交換器アレイの低圧側に戻る態様１に記載の方法。
［態様２０］
前記迂回させることが、前記戻りラインにおいて前記熱交換器アレイの前記低圧側に戻る前記冷媒の温度が前記戻りラインの高温設定点に達した後も、続けられる態様１９に記載の方法。
［態様２１］
前記高温設定点が、約−２０℃から約＋４０℃の範囲内の温度を含む態様２０に記載の方法。
［態様２２］
冷媒質量流が過剰になるのを前記防ぐことが、緩衝バルブを作動させて、前記冷媒流の前記少なくとも一部を前記迂回させることの間に、前記冷凍システムの膨張タンクおよび緩衝タンクの少なくとも一方に冷媒を蓄積できるようにすることを含む態様１９に記載の方法。
［態様２３］
前記緩衝バルブを連続して作動させることを含む態様２２に記載の方法。
［態様２４］
前記緩衝バルブをパルス状に作動させることを含む態様２２に記載の方法。
［態様２５］
前記戻りラインにおいて前記熱交換器アレイの前記低圧側に戻る前記冷媒の温度が前記戻りラインの高温設定点に達した後に、前記緩衝バルブを作動させることを含む態様２２に記載の方法。
［態様２６］
前記冷媒流の少なくとも一部を前記コンプレッサーの出口から供給ラインの入口へ迂回させることの間中、前記緩衝バルブを作動させることを含む態様２２に記載の方法。
［態様２７］
前記供給ラインの入口へ前記迂回させることが、前記戻りラインにおいて前記熱交換器アレイの前記低圧側に戻る前記冷媒の温度が前記戻りラインの高温設定点に達するまで、続けられ、その後、前記迂回させることが、冷媒流の少なくとも一部を前記コンプレッサーから前記熱交換器アレイにおけるポイントへ迂回させることを含む態様１９に記載の方法。
［態様２８］
冷媒流の少なくとも一部を前記コンプレッサーから前記熱交換器アレイにおけるポイントへ迂回させるのに先立って、凍結防止回路および温度制御回路の少なくとも一方を用いて前記熱交換器アレイの少なくとも一部を暖めることを含む態様１に記載の方法。
［態様２９］
冷媒流の少なくとも一部を前記迂回させることが、前記熱交換器アレイの少なくとも一つの内部絞り弁が生み出す冷却効果を超えるのに十分な冷媒流を迂回させ、それによって前記熱交換器アレイを暖めることを含む態様１に記載の方法。
［態様３０］
前記熱交換器アレイを暖める少なくとも一部の間、前記熱交換器アレイの少なくとも一つの内部絞り弁を少なくとも部分的に閉じることを含む態様１に記載の方法。
［態様３１］
前記熱交換器アレイを暖める少なくとも一部の間、前記冷凍システムのコンデンサーへの流入またはそこからの流出を少なくとも部分的に遮断することを含む態様１に記載の方法。
［態様３２］
前記熱交換器アレイを暖める少なくとも一部の間、前記冷凍システムの膨張タンクへの吸込側接続を閉じることを含む態様１に記載の方法。
［態様３３］
前記迂回させられた冷媒流が向かう、前記熱交換器アレイにおける位置を制御することを含む態様１に記載の方法。
［態様３４］
前記熱交換器アレイの少なくとも一部を暖めることによって、バランス圧チェックが可能となり、そのとき、極低温での動作における前記冷媒流の前記少なくとも一部を前記迂回させることの始めから、６時間未満、４時間未満、３時間未満、２時間未満、１時間未満、３０分未満、１５分未満、および５分未満の少なくとも一つの時間だけ前記システムの高圧と前記システムの低圧とが等しい態様１に記載の方法。
［態様３５］
前記バランス圧チェックで達する前記システムの前記高圧および前記システムの前記低圧が、前記システムの自然なバランス圧の５ｐｓｉ、１０ｐｓｉ、２０ｐｓｉ、および３０ｐｓｉの少なくとも一つ以内である態様３４に記載の方法。
［態様３６］
前記方法が、前記熱交換器アレイを暖めるために前記冷凍システムの外部の機器を使うことのない態様１に記載の方法。
［態様３７］
前記冷凍システムが混合冷凍システムを含み、前記冷媒が二つ以上の冷媒の混合物を含み、前記二つ以上の冷媒において、最も高温で沸騰する成分から最も低温で沸騰する成分までの標準沸点の差が、少なくとも５０Ｋ、少なくとも１００Ｋ、少なくとも１５０Ｋ、および少なくとも２００Ｋの少なくとも一つである態様１に記載の方法。
［態様３８］
前記冷凍システムが、コンプレッサーと、コンデンサーおよび過熱低減熱交換器の少なくとも一方と、前記熱交換器アレイと、少なくとも一つの絞り弁デバイスと、蒸発器とを含む態様３７に記載の方法。
［態様３９］
前記冷凍システムが、少なくとも一つの相分離器を含む態様３８に記載の方法。
［態様４０］
前記方法が、前記蒸発器が暖められる前記冷凍システムの解凍モード動作の少なくとも一部の間に実施され、前記冷凍システムがさらに、前記蒸発器が冷却される冷却モードおよび冷媒が前記蒸発器に供給されない待機モードにおいて、作動する態様３７に記載の方法。
［態様４１］
前記熱交換器アレイの前記少なくとも一部を暖めるのを、前記熱交換器アレイにおける少なくとも一つの位置の少なくとも一つのセンサーで設定点の温度に達すると、停止することを含む態様１に記載の方法。
［態様４２］
前記熱交換器アレイの一つの熱交換器への吐出入口、前記熱交換器アレイの一つの熱交換器からの吐出出口、前記熱交換器アレイの一つの熱交換器への吸込入口、および前記熱交換器アレイの一つの熱交換器からの吸込出口の少なくとも一つに、少なくとも一つのセンサーが位置する態様４１に記載の方法。
［態様４３］
冷媒質量流が過剰になるのを前記防ぐことが、前記コンプレッサーへの入口で冷媒流を調整することを含む態様１に記載の方法。
［態様４４］
前記コンプレッサーへの前記入口で冷媒流を前記調整することが、クランクケース圧調整バルブを用いることを含む態様１に記載の方法。
［態様４５］
冷媒質量流が過剰になるのを前記防ぐことが、前記コンプレッサーに変速駆動装置を適用することを含む態様１に記載の方法。
［態様４６］
冷媒質量流が過剰になるのを前記防ぐことが、前記コンプレッサーの少なくとも一つのシリンダーへの質量流を遮断することを含み、前記コンプレッサーが往復運動型のコンプレッサーである態様１に記載の方法。
［態様４７］
冷媒質量流が過剰になるのを前記防ぐことが、前記コンプレッサーの少なくとも二つのスクロールを互いから分離することを含み、前記コンプレッサーがスクロール型のコンプレッサーである態様１に記載の方法。
［態様４８］
冷媒質量流が過剰になるのを前記防ぐことが、質量流を低減することまたは前記冷凍システムの複数のコンプレッサーの少なくとも一つの動作を削減することを含む態様１に記載の方法。
［態様４９］
暖めシステムを含む極低温冷凍システムであって、
熱交換器アレイと、
前記冷凍システムにおける冷媒流の少なくとも一部を、前記冷凍システムの極低温冷却動作の間に用いられる冷媒流回路から、前記熱交換器アレイにおける位置へ迂回させて、前記熱交換器アレイの少なくとも一部を暖める分流加減器とを含み、
前記分流加減器が、
前記コンプレッサーから前記熱交換器アレイにおけるポイントへの分流加減器、
前記冷凍システムのコンデンサーの出口から前記熱交換器アレイにおけるポイントへの分流加減器、および
前記熱交換器アレイにおける少なくとも一つの熱交換器の高圧側から前記熱交換器アレイにおける別のポイントへの分流加減器の少なくとも一つを含む冷凍システム。
［態様５０］
前記熱交換器アレイにおける前記ポイントが、前記熱交換器アレイにおける最も冷たい熱交換器の低圧入口を含む態様４９に記載のシステム。
［態様５１］
前記熱交換器アレイにおける前記ポイントが、前記熱交換器アレイにおける二番目に冷たい熱交換器の低圧入口を含む態様４９に記載のシステム。
［態様５２］
前記コンプレッサーを通る冷媒質量流が過剰になるのを防ぐデバイスをさらに含む態様４９に記載のシステム。
［態様５３］
冷媒質量流が過剰になるのを防ぐ前記デバイスが、前記冷凍システムの膨張タンクと緩衝タンクの少なくとも一方に冷媒を蓄積できるようにする緩衝バルブを含む態様５２に記載のシステム。
［態様５４］
前記緩衝バルブが連続して作動する態様５３に記載のシステム。
［態様５５］
前記緩衝バルブがパルス状に作動する態様５３に記載のシステム。
［態様５６］
前記緩衝バルブが最小の吸込圧に達した後に作動する態様５３に記載のシステム。
［態様５７］
冷媒質量流が過剰になるのを防ぐ前記デバイスが、前記コンプレッサーへの入口で冷媒流を調整する調整器を含む態様４９に記載のシステム。
［態様５８］
前記調整器がクランクケース圧調整バルブを含む態様５７に記載のシステム。
［態様５９］
冷媒質量流が過剰になるのを防ぐ前記デバイスが、前記コンプレッサーの変速駆動装置を含む態様４９に記載のシステム。
［態様６０］
冷媒質量流が過剰になるのを防ぐ前記デバイスが、前記コンプレッサーの少なくとも一つのシリンダーへの質量流を遮断するシリンダーアンローダーを含み、前記コンプレッサーが往復運動型のコンプレッサーである態様４９に記載のシステム。
［態様６１］
冷媒質量流が過剰になるのを防ぐ前記デバイスが、前記コンプレッサーの少なくとも二つのスクロールを互いから分離するデバイスを含み、前記コンプレッサーがスクロール型のコンプレッサーである態様４９に記載のシステム。
［態様６２］
冷媒質量流が過剰になるのを防ぐ前記デバイスが、質量流を低減するか、または前記冷凍システムの複数のコンプレッサーの少なくとも一つのコンプレッサーの動作を削減するデバイスを含む態様４９に記載のシステム。
［態様６３］
前記分流加減器が、前記冷凍システムの極低温動作における最も冷たい熱交換器の温度よりも実質的に暖かい温度の冷媒を迂回させる態様４９に記載のシステム。
［態様６４］
前記分流加減器が、前記熱交換器アレイのすべてを暖める態様４９に記載のシステム。
［態様６５］
前記分流加減器が、前記熱交換器アレイの前記少なくとも一部を、前記極低温範囲内の温度から、少なくとも約５℃、少なくとも約１０℃、少なくとも約１５℃、少なくとも約２０℃、少なくとも約２５℃、少なくとも約３０℃、および少なくとも約３５℃からなるグループ内の温度に暖める態様４９に記載のシステム。
［態様６６］
前記分流加減器が、冷媒流を、前記冷凍システムにおける連続して用いられる少なくとも二つの暖め冷媒源から迂回させ、前記少なくとも二つの暖め冷媒源が、（ｉ）温度が互いに異なっているか、（ｉｉ）冷媒組成が互いに異なっているか、の少なくとも一方である態様４９に記載のシステム。
［態様６７］
前記分流加減器が、冷媒流の少なくとも一部を、前記冷凍システムにおける交互に連続して用いられる前記少なくとも二つの暖め冷媒源から迂回させる態様６６に記載のシステム。
［態様６８］
前記分流加減器が、冷媒流の少なくとも一部を、前記冷凍システムにおける少なくとも二つの暖め冷媒源から迂回させ、前記少なくとも二つの暖め冷媒源が、（ｉ）温度が互いに異なっているか、（ｉｉ）冷媒組成が互いに異なっているか、の少なくとも一方であり、
前記分流加減器が、前記少なくとも二つの暖め冷媒源から迂回させられた流れを混合して、前記熱交換器アレイの前記少なくとも一部を暖める態様４９に記載のシステム。
［態様６９］
前記分流加減器が、前記熱交換器アレイの前記少なくとも一部を暖める間に、様々な量の暖め冷媒を供給する態様４９に記載のシステム。
［態様７０］
前記分流加減器が、冷媒流を、前記熱交換器アレイにおける二つ以上の位置へ迂回させる態様４９に記載のシステム。
［態様７１］
前記熱交換器アレイにおいて少なくとも一つの内部絞り弁をさらに含む態様４９に記載のシステム。
［態様７２］
前記内部絞り弁の少なくとも一つが、その内部絞り弁を前記分流加減器の動作の間少なくとも部分的に閉じるデバイスを含む態様７１に記載のシステム。
［態様７３］
前記分流加減器の動作の間、前記システムのコンデンサーへの流入またはそこからの流出を少なくとも部分的に遮断するデバイスをさらに含む態様４９に記載のシステム。
［態様７４］
前記熱交換器アレイを暖める少なくとも一部の間、前記冷凍システムの膨張タンクへの吸込側接続を閉じるデバイスを含む態様４９に記載のシステム。
［態様７５］
前記迂回させられた冷媒流が向かう、前記熱交換器アレイにおける位置を制御するバルブを含む態様４９に記載のシステム。
［態様７６］
前記分流加減器によって前記熱交換器アレイの少なくとも一部を暖めることによって、バランス圧チェックが可能となり、そのとき、極低温での動作における前記冷媒流の前記少なくとも一部を迂回させる始めから、６時間未満、４時間未満、３時間未満、２時間未満、１時間未満、３０分未満、１５分未満、および５分未満の少なくとも一つの時間だけ前記システムの高圧と前記システムの低圧とが等しい態様４９に記載のシステム。
［態様７７］
前記バランス圧チェックで達する前記システムの前記高圧および前記システムの前記低圧が、前記システムの自然なバランス圧の５ｐｓｉ、１０ｐｓｉ、２０ｐｓｉ、および３０ｐｓｉの少なくとも一つ以内である態様７６に記載のシステム。
［態様７８］
前記システムが、前記熱交換器アレイを暖めるために前記冷凍システムの外部に機器を含んでいない態様４９に記載のシステム。
［態様７９］
前記冷凍システムが混合冷凍システムを含み、前記冷媒が二つ以上の冷媒の混合物を含み、前記二つ以上の冷媒において、最も高温で沸騰する成分から最も低温で沸騰する成分までの標準沸点の差が、少なくとも５０Ｋ、少なくとも１００Ｋ、少なくとも１５０Ｋ、および少なくとも２００Ｋの少なくとも一つである態様４９に記載のシステム。
［態様８０］
前記冷凍システムが、コンプレッサーと、コンデンサーおよび過熱低減熱交換器の少なくとも一方と、前記熱交換器アレイと、少なくとも一つの絞り弁デバイスと、蒸発器とを含む態様７９に記載のシステム。
［態様８１］
前記冷凍システムが、少なくとも一つの相分離器を含む態様８０に記載のシステム。
［態様８２］
前記冷凍システムによって、前記蒸発器が暖められる解凍モード動作、前記蒸発器が冷却される冷却モード動作、および冷媒が前記蒸発器に供給されない待機モードが可能である態様７９に記載のシステム。
［態様８３］
前記熱交換器アレイにおける少なくとも一つの位置に少なくとも一つのセンサーを含み、少なくとも一つのセンサーで設定点の温度に達すると、前記分流加減器の動作を停止する制御回路を含む態様４９に記載のシステム。
［態様８４］
前記熱交換器アレイの一つの熱交換器への吐出入口、前記熱交換器アレイの一つの熱交換器からの吐出出口、前記熱交換器アレイの一つの熱交換器への吸込入口、および前記熱交換器アレイの一つの熱交換器からの吸込出口の少なくとも一つに、少なくとも一つのセンサーが位置する態様８３に記載のシステム。
［態様８５］
前記コンプレッサーの出口から供給ラインの入口まで熱ガス解凍回路をさらに含み、冷媒が、前記供給ラインからクライオコイルおよびクライオサーフェイスの少なくとも一方へ流れ、そこから戻りラインを通って前記熱交換器アレイの低圧側に戻る態様４９に記載のシステム。
［態様８６］
凍結防止回路および温度制御回路の少なくとも一方をさらに含む態様４９に記載のシステム。
［態様８７］
極低温冷凍システムを作動させる方法であって、
ろう付け板熱交換器の少なくとも一つの流路に下向きに冷媒流を流し、前記下向きに流れる冷媒流の速度が、前記極低温冷凍システムの冷却動作の間、少なくとも秒速０．１メートルに保たれていることと、
前記ろう付け板熱交換器のさらに少なくとも一つの流路に上向きに冷媒流を流し、前記上向きに流れる冷媒流の速度が、前記極低温冷凍システムの冷却動作の間、少なくとも秒速１メートルに保たれていることとを含む方法。
［態様８８］
前記下向きに流れる冷媒流が、前記極低温冷凍システムの高圧流を含み、前記上向きに流れる冷媒流が、前記極低温冷凍システムの低圧流を含む態様８７に記載の方法。
［態様８９］
前記ろう付け板熱交換器のヘッダーが、前記ヘッダーを流れる冷媒の液体および気体留分を分配する挿入物を含む態様８７に記載の方法。
［態様９０］
吸込ライン蓄熱器を用いて、前記極低温冷凍システムの最も暖かい熱交換器を出る低圧冷媒流から液体冷媒を分離することをさらに含む態様８７に記載の方法。
［態様９１］
前記極低温冷媒システムが、冷凍負荷コンプレッサーを含む態様８７に記載の方法。
［態様９２］
前記コンプレッサーが、往復運動コンプレッサーを含む態様９１に記載の方法。
［態様９３］
前記コンプレッサーが、半密閉コンプレッサーを含む態様９２に記載の方法。
［態様９４］
前記上向きに流れる冷媒流の速度が、前記極低温冷凍システムの冷却動作の間、少なくとも秒速２メートルに保たれる態様８７に記載の方法。
［態様９５］
前記システムにおける最も冷たい熱交換器が、１７インチ以上４８インチ未満の長さを有する態様８７に記載の方法。
［態様９６］
前記システムにおける最も冷たい二つの熱交換器が、それぞれ、１７インチ以上４８インチ未満の長さを有する態様９５に記載の方法。
［態様９７］
前記システムにおける最も冷たい三つの熱交換器が、それぞれ、１７インチ以上４８インチ未満の長さを有する態様９５に記載の方法。
［態様９８］
前記システムにおける少なくとも一つの熱交換器が、約２．５インチから約３．５インチまでの幅を有し、約１７インチと約２４インチの間の長さを有する態様８７に記載の方法。
［態様９９］
前記システムにおける少なくとも一つの熱交換器が、約４．５インチから約５．５インチまでの幅を有し、約１７インチと約２４インチの間の長さを有する態様８７に記載の方法。
［態様１００］
混合ガス冷媒を用いる極低温冷凍システムの消費電力を低減する方法であって、
前記極低温冷凍システムがいつ過剰冷却能力を有するかを判断することと、
前記極低温冷凍システムのコンプレッサーの消費電力を低減し、その間なおも、必要な量の冷却能力を負荷に供給することとを含み、
前記消費電力を低減することが、（ｉ）前記コンプレッサーのシリンダーアンローダーを作動させること、（ｉｉ）前記コンプレッサーのモーター速度を変えること、（ｉｉｉ）スクロールコンプレッサーのスクロール間隔を変えること、および（ｉｖ）前記極低温システムが二つ以上のコンプレッサーを並列に含む場合、前記二つ以上のコンプレッサーの第一のコンプレッサーを作動状態に保ち、その間、前記二つ以上のコンプレッサーの第二のコンプレッサーを停止させるか、または前記第二のコンプレッサーを低減した変位で作動させることからなるグループから選択されるステップの少なくとも一つを含む方法。
［態様１０１］
前記極低温冷凍システムがいつ過剰冷却能力を有するかを判断することが、前記負荷からの戻り温度が、所定の最低温度よりも所定の温度差を超えて冷たいか否かを判断することを含む態様１００に記載の方法。
［態様１０２］
前記極低温冷凍システムがいつ過剰冷却能力を有するかを判断することが、冷却バルブが開いている時間の割合を監視し、前記時間の割合を所定の割合と比較することを含む態様１００に記載の方法。
［態様１０３］
前記極低温冷凍システムがいつ過剰冷却能力を有するかを判断することが、温度制御バルブが開いている時間の割合を監視し、前記時間の割合を所定の割合と比較することを含む態様１００に記載の方法。
［態様１０４］
前記極低温システムがいつ過剰冷却能力を有するかを判断することが、比例バルブが開いている量を測定することを含む態様１００に記載の方法。